(57)【要約】  本発明は、コンタクトデバイス、コンタクトシステム、およびそのようなコンタクトシステムを形成する方法に関し、コンタクトデバイスは、第１の同軸コンタクトユニットおよび第１のコンタクトハウジングを有し、第１の同軸コンタクトユニットは、第１の内側コンタクトと、第１の内側コンタクトに対して円周方向に配置された第１の外側コンタクトとを有し、第１の外側コンタクトは、コンタクト軸に対して、第１の内側コンタクトから隔置され、第１の内側コンタクトと同軸状であり、第１のコンタクトハウジングおよび第１の同軸コンタクトユニットは、互いに接続され、第１の同軸コンタクトユニットは、コンタクトシステムのさらなるコンタクトデバイスの第２の同軸コンタクトユニットへの少なくとも１つの電気接触を形成するように構成され、第１のコンタクトハウジングは、第１のエンコーディングユニットを有し、第１のエンコーディングユニットは、第１の同軸コンタクトユニットの第１の外側コンタクトに隣接して配置され、第１のかしめ手段を有し、第１のかしめ手段は、第１のヘッド部と、第１のヘッド部に接続された第１のシャフト部とを有し、第１のシャフト部は、第１のレセプタクルの少なくとも１つの第１の部分を通って係合し、第２のコンタクトハウジングに対する第１のコンタクトハウジングの位置決めを設定するように構成され、第１のヘッド部は、第１のシャフト部の第２の外周面の上に第１の外周面に対して横方向に突出している。【選択図】図３
2021518630.tif 000002
【特許請求の範囲】
【請求項１】
コンタクトシステム（１０）向けのコンタクトデバイス（１５）であって、
第１の同軸コンタクトユニット（４５）および第１のコンタクトハウジング（３０）を有し、
前記第１の同軸コンタクトユニット（４５）は、第１の内側コンタクト（６０）と、前記第１の内側コンタクト（６０）に対して円周方向に配置された第１の外側コンタクト（５５）とを有し、
前記第１の外側コンタクト（５５）は、コンタクト軸（６５）に対して、前記第１の内側コンタクト（６０）から隔置され、前記第１の内側コンタクト（６０）と同軸状であり、
前記第１のコンタクトハウジング（３０）および前記第１の同軸コンタクトユニット（４５）は、互いに接続され、前記第１の同軸コンタクトユニット（４５）は、前記コンタクトシステム（１０）のさらなるコンタクトデバイス（２０）の第２の同軸コンタクトユニット（５０）への少なくとも１つの電気接触を形成するように構成され、
前記第１のコンタクトハウジング（３０）は、第１のエンコーディングユニット（９５）を有し、
前記第１のエンコーディングユニット（９５）は、前記第１の同軸コンタクトユニット（４５）の前記第１の外側コンタクト（５５）に隣接して配置され、第１のかしめ手段（１４１）を有し、
前記第１のかしめ手段（１４１）は、第１のヘッド部（１５０）と、前記第１のヘッド部（１５０）に接続された第１のシャフト部（１４５）とを有し、
前記第１のシャフト部（１４５）は、第１のレセプタクル（１３０）の少なくとも１つの第１の部分（１３５）を通って係合し、第２のコンタクトハウジング（４０）に対する前記第１のコンタクトハウジング（３０）の位置決めを設定するように構成され、
前記第１のヘッド部（１５０）は、前記第１のシャフト部（１４５）の第２の外周面（１８０）の上に第１の外周面（１７５）に対して横方向に突出している、コンタクトデバイス（１５）。
【請求項２】
前記第１のシャフト部（１４５）は、中空体として構成され、
前記第１の同軸コンタクトユニット（４５）は、好ましくは、前記第１のシャフト部（１４５）の内側に配置され、
前記第１のシャフト部（１４５）および前記第１のヘッド部（１５０）は、一体化された物質的に均一の形で構成され、
前記第１のシャフト部（１４５）は、第１の中実端（１５５）によって、前記第１のコンタクトハウジング（３０）の端面（１１０）に接続され、前記端面（１１０）の上に突出し、
前記第１のヘッド部（１５０）は、前記第１のシャフト部（１４５）の第１の自由端（１６０）に配置されている、
請求項１に記載のコンタクトデバイス（１５）。
【請求項３】
前記第１のコンタクトハウジング（３０）は、導電性を有するように構成され、
前記第１のコンタクトハウジング（３０）は、
亜鉛、
スズ、
アルミニウム、
銅、
マグネシウム、
真鍮、
鉄、
鋼、
青銅、
亜鉛鋳物、
亜鉛合金、
ＺｎＡｌＣｕＭｇという物質のうちの少なくとも１つを有する、
請求項１または２に記載のコンタクトデバイス（１５）。
【請求項４】
前記第１のシャフト部（１４５）は、前記第２の外周面（１８０）に第１の案内面（２００）を有し、
前記第１の案内面（２００）は、前記コンタクト軸（６５）に実質的に平行に位置合わせされ、
前記第１の案内面（２００）は、少なくとも部分的に、前記第２のコンタクトハウジング（４０）への差込み運動中に前記第１のコンタクトハウジング（３０）を横方向に案内するように、かつ／または前記第２のコンタクトハウジング（４０）に対する前記第１のコンタクトハウジング（３０）の向きを明確に設定するように構成されている、
請求項１から３のいずれか一項に記載のコンタクトデバイス（１５）。
【請求項５】
前記第１のシャフト部（１４５）は、前記第２の外周面（１８０）に第２の案内面（２０５）を有し、
前記第２の案内面（２０５）および前記第１の案内面（２００）はそれぞれ、平面状に構成され、好ましくは、互いに平行に位置合わせされている、
請求項４に記載のコンタクトデバイス（１５）。
【請求項６】
前記第１のエンコーディングユニット（９５）は、少なくとも前記第１のヘッド部（１５０）および／または前記第１のシャフト部（１４５）内に凹部（２３５、２４０）を備え、
前記凹部（２３５、２４０）は、前記端面（１１０）とは反対に面する側に開いており、
前記凹部（２３５）は、好ましくは、溝状に構成され、かつ／または前記コンタクト軸（６５）の周りの円形の経路上を案内され、かつ／または前記コンタクト軸（６５）に平行に延びている、
請求項４または５に記載のコンタクトデバイス（１５）。
【請求項７】
前記第１の同軸コンタクトユニット（４５）に対して横方向にずれて配置された第３の同軸コンタクトユニット（５００）を有し、
前記第３の同軸コンタクトユニット（５００）は、好ましくは、前記第１の同軸コンタクトユニット（４５）と同一に構成され、
前記第１のコンタクトハウジング（３０）および前記第３の同軸コンタクトユニット（５００）は、互いに接続され、前記第３の同軸コンタクトユニット（５００）は、前記さらなるコンタクトデバイス（２０）の第４の同軸コンタクトユニット（５０５）への少なくとも１つの電気接触を形成するように構成され、
前記第１のコンタクトハウジング（３０）は、第２のエンコーディングユニット（５１０）を有し、
前記第２のエンコーディングユニット（５１０）は、前記第１の同軸コンタクトユニット（４５）に対して横方向にずれて配置され、
前記第２のエンコーディングユニット（５１０）は、前記第３の同軸コンタクトユニット（５００）に隣接して配置され、第２のかしめ手段（５１１）を有し、
前記第２のエンコーディングユニット（５１０）は、前記さらなるコンタクトデバイス（２０）の前記第２のコンタクトハウジング（４０）の第２のレセプタクル（５４５）内に係合し、前記第２のコンタクトハウジング（４０）に対する前記第１のコンタクトハウジング（３０）の位置決めを設定するように構成され、
前記第２のかしめ手段（５１１）は、第２のヘッド部（５３５）と、前記第２のヘッド部（５３５）に接続された第２のシャフト部（５３０）とを有し、
前記第２のシャフト部（５３０）は、前記第２のレセプタクル（５４５）を通って係合するように構成され、前記第２のヘッド部（５３５）は、前記第２のレセプタクル（５４５）で前記第２のコンタクトハウジング（４０）を越えて少なくとも部分的に係合するように構成されている、
請求項１から６のいずれか一項に記載のコンタクトデバイス（１５）。
【請求項８】
前記第２のシャフト部（５３０）は、中空体として構成され、
前記第３の同軸コンタクトユニット（５００）は、前記第２のシャフト部（５３０）の内側に配置され、
前記第２のシャフト部（５３０）および前記第２のヘッド部（５３５）は、一体化された物質的に均一の形で構成され、
前記第２のシャフト部（５３０）は、さらなる中実端によって、前記第１のコンタクトハウジング（３０）の前記端面（１１０）に接続され、前記第１のコンタクトハウジング（３０）の前記端面（１１０）の上に突出し、
前記第２のヘッド部（５３５）は、前記第２のシャフト部（５３０）のさらなる自由端に配置されている、
請求項７に記載のコンタクトデバイス（１５）。
【請求項９】
前記第１のヘッド部（１５０）は、前記第３の同軸コンタクトユニット（５００）とは反対に面する側に配置され、前記第２のヘッド部（５３５）は、前記第１の同軸コンタクトユニット（４５）とは反対に面する側に配置され、
または
前記第１のヘッド部（１５０）および前記第２のヘッド部（５３５）は、前記第１の同軸コンタクトユニット（４５）と前記第３の同軸コンタクトユニット（５００）との間に配置されている、
請求項８に記載のコンタクトデバイス（１５）。
【請求項１０】
コンタクトデバイス（１５）およびさらなるコンタクトデバイス（２０）を有し、
前記コンタクトデバイス（１５）は、請求項１から９のいずれか一項に記載のように構成され、
前記さらなるコンタクトデバイス（２０）は、第２のコンタクトハウジング（４０）および第２の同軸コンタクトユニット（５０）を有し、
前記第１の同軸コンタクトユニット（４５）および前記第２の同軸コンタクトユニット（５０）は、互いに係合し、互いに電気的に接続され、
前記第１のシャフト部（１４５）は、前記第１のレセプタクル（１３０）を通って係合し、前記第２のコンタクトハウジング（４０）に対する前記第１のコンタクトハウジング（３０）の位置決めを設定し、
前記第１のヘッド部（１５０）は、前記第１のレセプタクル（１３０）で前記第２のコンタクトハウジング（４０）を越えて少なくとも部分的に係合している、
コンタクトシステム（１０）。
【請求項１１】
前記第１のレセプタクル（１３０）は、第１の部分（１３５）および第２の部分（１４０）を有し、
前記第１の部分（１３５）は、前記第１のコンタクトハウジング（３０）に面する側に配置され、
前記第２の部分（１４０）は、前記第１のコンタクトハウジング（３０）とは反対に面する側に隣接し、
前記第２の部分（１４０）は、前記第１の部分（１３５）に対して広くなり、
前記第１のヘッド部（１５０）は、前記第２の部分（１４０）内に少なくとも部分的に係合している、
請求項１０に記載のコンタクトシステム（１０）。
【請求項１２】
請求項１０または１１に記載のコンタクトシステム（１０）を組み立てる方法であって、
前記コンタクトデバイス（１５）および前記さらなるコンタクトデバイス（２０）が設けられ、
前記第１のエンコーディングユニット（９５）は、最終位置に入るまで、前記第１のレセプタクル（１３０）内へ挿入され、前記最終位置で、前記第１のシャフト部（１４５）は、前記第１のレセプタクル（１３０）を通って係合し、
前記端面で前記シャフト部（１４５）上へかしめ具（３１０）が配置され、
前記かしめ具（３１０）によって、前記第１のシャフト部（１４５）内へかしめ力（ＦＮ）が導入され、
前記かしめ力（ＦＮ）によって、前記かしめ具（３１０）は、前記第１のヘッド部（１５０）が前記第１のレセプタクル（１３０）で前記第２のコンタクトハウジング（４０）を越えて係合するように、前記第１のシャフト部（１４５）に前記第１のヘッド部（１５０）を成形する、方法。
【発明の詳細な説明】
【技術分野】
【０００１】
本発明は、請求項１に記載のコンタクトデバイス、請求項１０に記載のコンタクトシステム、および請求項１２に記載のそのようなコンタクトシステムを形成する方法に関する。
【背景技術】
【０００２】
エンコーディングリブを有するコンタクトシステムが知られている。
【発明の概要】
【発明が解決しようとする課題】
【０００３】
本発明の課題は、改善されたコンタクトデバイス、特に高い保持力を有する改善されたコンタクトシステム、およびそのようなコンタクトシステムを組み立てる改善された方法を提供することである。
【課題を解決するための手段】
【０００４】
コンタクトデバイスが、第１の同軸コンタクトユニットおよび第１のコンタクトハウジングを有し、第１の同軸コンタクトユニットは、第１の内側コンタクトと、第１の内側コンタクトに対して円周方向に配置された第１の外側コンタクトとを有することから、改善されたコンタクトデバイスを提供することができることが認められた。第１の外側コンタクトは、コンタクト軸に対して、第１の内側コンタクトから隔置され、第１の内側コンタクトと同軸状である。第１のコンタクトハウジングおよび第１の同軸コンタクトユニットは、互いに接続され、第１の同軸コンタクトユニットは、コンタクトシステムのさらなるコンタクトデバイスの第２の同軸コンタクトユニットへの少なくとも１つの電気接触を形成するように構成される。第１のコンタクトハウジングは、第１のエンコーディングユニットを有し、第１のエンコーディングユニットは、第１の同軸コンタクトユニットの第１の外側コンタクトに隣接して配置され、第１のかしめ手段を有し、第１のかしめ手段は、第１のヘッド部と、第１のヘッド部に接続された第１のシャフト部とを有し、第１のシャフト部は、第２のコンタクトユニットの第１のレセプタクルの少なくとも１つの第１の部分を通って係合し、第２のコンタクトハウジングに対する第１のコンタクトハウジングの位置決めを設定するように構成される。第１のヘッド部は、第１のシャフト部の第２の外周面の上に第１の外周面に対して横方向に突出する。
【０００５】
その結果、コンタクトデバイスとさらなるコンタクトデバイスとの間に、特に簡単で安価な接続を確保することができる。さらに、さらなるコンタクトデバイスに対するコンタクトデバイスの位置合わせおよび位置決めを明確に設定することができ、したがって２つのコンタクトデバイスを取り付ける際、２つのコンタクトデバイスが互いにゆがむことを回避することができる。加えて、さらなるコンタクトデバイスに対するコンタクトデバイスの精密な位置合わせによって、これらを互いに対して明確に押し付けることができ、したがって２つのコンタクトデバイス間に確実な接続を確保することができる。
【０００６】
さらなる実施形態では、第１のシャフト部は、中空体として構成される。第１の同軸コンタクトユニットは、好ましくは、第１のシャフト部の内側に配置され、第１のシャフト部および第１のヘッド部は、一体化された物質的に均一の形で構成される。第１のシャフト部は、第１の中実端によって、第１のコンタクトハウジングの端面に接続され、端面の上に突出する。第１のヘッド部は、第１のシャフト部の第１の自由端に配置される。
【０００７】
さらなる実施形態では、第１のコンタクトハウジングは、導電性を有するように構成され、第１のコンタクトハウジングは、亜鉛、スズ、アルミニウム、銅、マグネシウム、真鍮、鉄、鋼、青銅、亜鉛鋳物、亜鉛合金、ＺｎＡｌＣｕＭｇという物質のうちの少なくとも１つを有する。特にダイカスト法では、第１のコンタクトハウジングが鋳造される場合が特に有利である。
【０００８】
さらなる実施形態では、第１のシャフト部は、第２の外周面に第１の案内面を有し、第１の案内面は、コンタクト軸に実質的に平行に位置合わせされ、第１の案内面は、少なくとも部分的に、第２のコンタクトハウジングへの差込み運動中に第１のコンタクトハウジングを横方向に案内するように、かつ／または第２のコンタクトハウジングに対する第１のコンタクトハウジングの向きを明確に設定するように構成される。
【０００９】
さらなる実施形態では、第１のシャフト部は、第２の外周面に第２の案内面を有し、第２の案内面および第１の案内面はそれぞれ、平面状に構成され、好ましくは、互いに平行に位置合わせされる。
【００１０】
さらなる実施形態では、第１のエンコーディングユニットは、少なくとも第１のヘッド部および／または第１のシャフト部内に凹部を有し、凹部は、端面とは反対に面する側に開いており、凹部は、好ましくは、溝状に構成され、かつ／またはコンタクト軸の周りの円形の経路上を案内され、かつ／またはコンタクト軸に平行に延びる。この構成には、凹部によって、かしめ手段の物質の流れ挙動に標的を絞って影響を与えることができるという利点がある。さらに、この流れを介して、凹部によって第１のヘッド部の幾何学的構成に間接的に影響を与えることも可能である。
【００１１】
さらなる実施形態では、コンタクトデバイスは、第１の同軸コンタクトユニットに対して横方向にずれて配置された第３の同軸コンタクトユニットを有し、第３の同軸コンタクトユニットは、好ましくは、第１の同軸コンタクトユニットと同一に構成され、第１のコンタクトハウジングおよび第３の同軸コンタクトユニットは、互いに接続される。第３の同軸コンタクトユニットは、さらなるコンタクトデバイスの第４の同軸コンタクトユニットへの少なくとも１つの電気接触を形成するように構成され、第１のコンタクトハウジングは、第２のエンコーディングユニットを有し、第２のエンコーディングユニットは、第１の同軸コンタクトユニットに対して横方向にずれて配置され、第２のエンコーディングユニットは、第３の同軸コンタクトユニットに隣接して配置され、第２のかしめ手段を有し、第２のエンコーディングユニットは、さらなるコンタクトデバイスの第２のコンタクトハウジングの第２のレセプタクル内に係合し、第２のコンタクトハウジングに対する第１のコンタクトハウジングの位置決めを設定するように構成され、第２のかしめ手段は、第２のヘッド部と、第２のヘッド部に接続された第２のシャフト部とを有し、第２のシャフト部は、第２のレセプタクルを通って係合するように構成され、第２のヘッド部は、第２のレセプタクルで第２のコンタクトハウジングを越えて少なくとも部分的に係合するように構成される。
【００１２】
さらなる実施形態では、第２のシャフト部は、中空体として構成され、第３の同軸コンタクトユニットは、第２のシャフト部の内側に配置され、第２のシャフト部および第２のヘッド部は、一体化された物質的に均一の形で構成され、第２のシャフト部は、さらなる中実端によって、第１のコンタクトハウジングの端面に接続され、第１のコンタクトハウジングの端面の上に突出し、第２のヘッド部は、第２のシャフト部のさらなる自由端に配置される。
【００１３】
さらなる実施形態では、第１のヘッド部は、第３の同軸コンタクトユニットとは反対に面する側に配置され、第２のヘッド部は、第１の同軸コンタクトユニットとは反対に面する側に配置される。この構成では、第１の同軸コンタクトユニットおよび第３の同軸コンタクトユニットは、特に横断方向に互いに近接して配置することができる。別法として、第１のヘッド部および第２のヘッド部は、第１の同軸コンタクトユニットと第３の同軸コンタクトユニットとの間に配置される。その結果、第１の同軸コンタクトユニットおよび第３の同軸コンタクトユニットの外側で必要とされる設置空間の量が特に小さくなる。
【００１４】
コンタクトシステムは、コンタクトデバイスおよびさらなるコンタクトデバイスを有し、コンタクトデバイスは、上述したように構成され、さらなるコンタクトデバイスは、第２のコンタクトハウジングおよび第２の同軸コンタクトユニットを有し、第１の同軸コンタクトユニットおよび第２の同軸コンタクトユニットは、互いに係合し、互いに電気的に接続され、第１のシャフト部は、第１のレセプタクルを通って係合し、第２のコンタクトハウジングに対する第１のコンタクトハウジングの位置決めを設定し、第１のヘッド部は、第１のレセプタクルで第２のコンタクトハウジングを越えて少なくとも部分的に係合する。
【００１５】
この構成には、２つのコンタクトハウジングが形状嵌めで互いに接続され、形状嵌め接続は、かしめ手段を破壊することによってしか解除することができないという利点がある。その結果、さらなるコンタクトハウジングがコンタクトハウジングから意図せず引き出されることを防止することができる。
【００１６】
さらなる実施形態では、第１のレセプタクルは、第１の部分および第２の部分を有し、第１の部分は、第１のコンタクトハウジングに面する側に配置され、第２の部分は、第１のコンタクトハウジングとは反対に面する側に隣接し、第２の部分は、第１の部分に対して広くなり、第１のヘッド部は、第２の部分内に少なくとも部分的に係合する。その結果、ヘッド部は、特に横断方向に広く構成することができる。
【００１７】
上述したコンタクトシステムを形成する方法では、コンタクトデバイスおよびさらなるコンタクトデバイスが設けられ、第１のエンコーディングユニットは、最終位置に入るまで、第１のレセプタクル内へ挿入され、最終位置で、第１のシャフト部は、第１のレセプタクルを通って係合し、端面でシャフト部上へかしめ具が配置され、かしめ具によって第１のシャフト部内へかしめ力が導入され、かしめ力によって、かしめ具は、第１のヘッド部が第１のレセプタクルで第２のコンタクトハウジングを越えて係合するように、第１のシャフト部に第１のヘッド部を成形する。
【００１８】
本発明について、図を参照して以下により詳細に説明する。
【図面の簡単な説明】
【００１９】
【図１】コンタクトシステムの斜視図である。
【図２】図１に示す断面Ａ−Ａに沿って図１に示すコンタクトシステムを通って切り取った断面図である。
【図３】断面Ａ−Ａに沿ってコンタクトシステムを通って切り取った図２に示す切断図である。
【図４】第１のコンタクトデバイスの斜視図である。
【図５】図１に示す断面Ｂ−Ｂに沿って第２のコンタクトデバイスの第２のコンタクトハウジングを通って切り取った断面図である。
【図６】図１に示す断面Ｂ−Ｂに沿って組立て状態にあるコンタクトシステムを通って切り取った断面図である。
【図７】図１に示す断面Ｃ−Ｃに沿ってコンタクトシステムを通って切り取った断面図である。
【図８】図１に示す断面Ｄ−Ｄに沿って図１に示すコンタクトシステムを通って切り取った断面図である。
【図９】図１〜図８に示すコンタクトシステムを形成する方法の流れ図である。
【図１０】図１に示す断面Ａ−Ａに沿って第３の方法ステップ中のコンタクトシステムを通って切り取った断面の切断図である。
【図１１】第４の方法ステップ中の図１０に示す断面の切断図である。
【図１２】第２の実施形態によるコンタクトシステムの斜視図である。
【発明を実施するための形態】
【００２０】
以下の図１〜図１０および図１２では、座標系を参照する。この座標系は、右手系として構成されており、ｘ軸（長手方向）、ｙ軸（横断方向）、およびｚ軸（垂直方向）を有する。
【００２１】
図１は、コンタクトシステム１０の斜視図を示す。
【００２２】
コンタクトシステム１０は、第１のコンタクトデバイス１５および第２のコンタクトデバイス２０を有する。加えて、コンタクトシステム１０は、プリント回路基板２５（図１に破線で示す）を有することができる。第１のコンタクトデバイス１５は、第１のコンタクトハウジング３０を有する。第１のコンタクトハウジング３０は、その下面に、少なくとも１つのピン３５、好ましくは互いから正方形に隔置された４つのピン３５を有する。ピン３５は、プリント回路基板２５の対応するピンレセプタクル（図１には図示せず）内に係合し、第１のコンタクトハウジング３０をプリント回路基板２５に固定する。ピン３５は、プリント回路基板２５の第１の導体経路に電気的に接続することができる。第１のコンタクトハウジング３０は、導電性を有するように構成され、亜鉛、スズ、アルミニウム、銅、マグネシウム、真鍮、鉄、鋼、青銅、亜鉛鋳物、亜鉛合金、ＺｎＡｌＣｕＭｇという物質のうちの少なくとも１つを有する。特にダイカスト法では、第１のコンタクトハウジングが鋳造される場合が特に有利である。
【００２３】
第１のコンタクトデバイス１５および第２のコンタクトデバイス２０は、互いに接続される。第２のコンタクトデバイス２０は、第２のコンタクトハウジング４０を有し、前記第２のコンタクトハウジング４０は、第１のコンタクトハウジング３０上へ差し込まれる。第２のコンタクトハウジング４０は、電気伝導性または電気絶縁性の物質を有することができる。第２のコンタクトハウジング４０の物質は、第１のコンタクトハウジング３０の物質と同一とすることができる。
【００２４】
図２は、図１に示す断面Ａ−Ａに沿って図１に示すコンタクトシステム１０を通って切り取った断面図を示す。
【００２５】
第１のコンタクトデバイス１５は、第１のコンタクトハウジング３０に加えて、第１の同軸コンタクトユニット４５を有する。第２のコンタクトデバイス２０は、第２の同軸コンタクトユニット５０（図２に破線で概略的に示す）を有する。第２の同軸コンタクトユニット５０は、第１の同軸コンタクトユニット４５に対応するように構成され、したがってこの実施形態では、メス同軸コンタクトユニット５０として構成される。第１の同軸コンタクトユニット４５がメス同軸コンタクトユニット４５として構成され、第２の同軸コンタクトユニット５０がオス同軸コンタクトユニット５０として構成されることも考えられるはずである。
【００２６】
第１の同軸コンタクトユニット４５は、第１の外側コンタクト５５、絶縁要素５６、および第１の内側コンタクト６０を有する。第１の内側コンタクト６０および第１の外側コンタクト５５は、部分的にコンタクト軸６５と同軸状に案内される。コンタクト軸６５は、ｘ軸に平行に延びる。絶縁要素５６は、第１の外側コンタクト５５と第１の内側コンタクト６０との間にコンタクト軸６５に対して径方向に配置される。
【００２７】
第１の外側コンタクト６０は、内側で円筒形に構成される。絶縁要素５６は、物質として誘電体を有する。絶縁要素５６は、第１の内側コンタクト６０を第１の外側コンタクト５５から電気的に絶縁する。
【００２８】
第２の同軸コンタクトユニット５０は、第２の外側コンタクト７０および第２の内側コンタクト７５を有する。第２の内側コンタクト７５は、第１の内側コンタクト６０との第１の電気接触を有し、第２の外側コンタクト７０は、第１の外側コンタクト５５との第２の電気接触を有する。第２の内側コンタクト７５および第２の外側コンタクト７０はまた、コンタクト軸６５に対して同軸状に配置される。この実施形態では、第２の内側コンタクト７５および第２の外側コンタクト７０はそれぞれ、メスコンタクト素子として構成される。第２の内側コンタクト７５は、第１の内側コンタクト６０の周りに円周方向に係合し、第２の外側コンタクト７０は、第１の外側コンタクト５５の周りに係合する。
【００２９】
第１の内側コンタクト６０は、角度付きプラグとして構成され、曲がった角状部８０および第１のコンタクト部８５を有する。角状部８０は、コンタクト軸６５および第１のコンタクト部８５に傾斜して、好ましくは直交して配置され、ｚ方向に延びる。第１のコンタクト部８５は、第２の内側コンタクト７５に電気的に接続される。角状部８０は、ピン３５に平行に位置合わせされる。下面では、角状部８０は、プリント回路基板２５内で第２のコンタクト部９０と係合し、角状部８０をプリント回路基板２５の第２の導体経路に電気的に接続する。
【００３０】
第１のコンタクトハウジング３０は、第１のエンコーディングユニット９５および第１のハウジング部１００を有する。第１のハウジング部１００は、実質的に立方形に構成されており、第１の同軸コンタクトユニット４５を受け取るための第１のコンタクトレセプタクル１０５を有する。この実施形態では、第１のコンタクトレセプタクル１０５は、第１のハウジング部１００の構成に対して実質的に中心位置に配置される。
【００３１】
第１のエンコーディングユニット９５は、第１のハウジング部１００の第１の端面１１０に配置される。第１の端面１１０は、ｙｚ平面内に延び、平面状に構成される。第１のエンコーディングユニット９５および第１のハウジング部１００は、一体化された物質的に均一の形で構成される。この場合、第１のエンコーディングユニット９５は、第２のコンタクトデバイス２０の方向に第１の端面１１０の上に突出する。
【００３２】
第２のコンタクトハウジング４０は、第２のハウジング部１１５および第３のハウジング部１２０を有する。第２のハウジング部１１５の内側には、第２の同軸コンタクトユニット５０を受け取るための第２のコンタクトレセプタクル１２５が設けられる。第２のハウジング部１１５は、第１のハウジング部１００とは反対に面する側に配置される。第２のコンタクトハウジング４０の第３のハウジング部１２０は、第１のハウジング部１００と第２のハウジング部１１５との間に配置される。ｙ方向およびｚ方向において、第３のハウジング部１２０は、第２のハウジング部１１５より細く構成される。第２のコンタクトハウジング４０は、第１のレセプタクル１３０を有する。第１のレセプタクル１３０は、第３のハウジング部１２０内に貫通孔として構成され、第２のハウジング部１１５の側壁１３６内に形成される。第１のレセプタクル１３０は、第２のコンタクトレセプタクル１２５内で、第１のコンタクトデバイス１５とは反対に面する側へ開いている。この場合、第１のレセプタクル１３０は、ｚ方向において第２のコンタクトレセプタクル１２５より細く構成される。
【００３３】
図３は、図１に示す断面Ａ−Ａに沿ってコンタクトシステム１０を通って切り取った図２に示す断面の切断図を示す。
【００３４】
第１のレセプタクル１３０は、第１の部分１３５および第２の部分１４０を有する。第１の部分１３５および第２の部分１４０は、第２のハウジング部１１５の側壁１３６内に配置され、側壁１３６はｙｚ平面内に延びる。第３のハウジング部１２０は、一方の側によって側壁１３６に接続される。
【００３５】
第１のレセプタクル１３０の第１の部分１３５は、ｘ軸に平行に延びるように構成され、一定の断面を有する。第１の部分１３５はまた、第１の端面１１０から第２のハウジング部１１５の方向に先細りするように円錐形に構成することができる。
【００３６】
第２の部分１４０は、ｘ方向において第１の部分１３５に隣接しており、第１のレセプタクル１３０のうち第１の端面１１０とは反対に面する側に配置される。第２の部分１４０は、第１の部分１３５から第２のハウジング部１１５の方向に広くなる。第２の部分１４０は、第２のコンタクトレセプタクル１２５内へ開いている。
【００３７】
第１のエンコーディングユニット９５は、第１のかしめ手段１４１を有し、第１のかしめ手段１４１は、第１のシャフト部１４５および第１のヘッド部１５０を有する。第１のシャフト部１４５は、第１の中実端１５５で第１のハウジング部１００に接続される。第１のヘッド部１５０は、第１のシャフト部１４５の第１の自由端１６０に配置される。第１のシャフト部１４５は、第１の部分１３５内に係合する。第１のシャフト部１４５は、第１の部分１３５に円周方向に対応するように構成され、第２のコンタクトハウジング４０に対して第１のコンタクトハウジング３０を位置決めする。
【００３８】
この実施形態では、第１のシャフト部１４５は、中空体のように構成される。第１の外側コンタクト５５は、第１のシャフト部１４５の内側に配置される。端面で、第１の外側コンタクト５５は、第１のヘッド部１５０の上に突出する。絶縁要素５６の端部は、第１のヘッド部１５０とほぼ同じ高さに位置する。
【００３９】
この実施形態では、第１の外側コンタクト５５および第１のエンコーディングユニット９５、特に第１のシャフト部１４５は、一体化された物質的に均一の形で構成される。第１の外側コンタクト５５および第１のエンコーディングユニット９５、特に第１のシャフト部１４５が、いくつかの部品として構成されることも考えられるはずである。第１のコンタクトハウジング３０の導電性物質の結果、第１のエンコーディングユニット９５と第１の外側コンタクト５５との一体化された物質的に均一の構成の場合に、電磁干渉からの第１の内側コンタクト６０の確実な遮蔽も確保される。第１の外側コンタクト５５と第１のエンコーディングユニット９５との一体化されて物質的に均一の構成には、プリント回路基板２５の第１の導体経路への第１の外側コンタクト５５の取付けに対する電気抵抗が特に低いというさらなる利点がある。
【００４０】
第１のヘッド部１５０は、第２の部分１４０内に係合する。この場合、第１のヘッド部１５０は、第１の周面１７５によって第２の部分１４０の内側に接する。さらに、第１のヘッド部１５０は、ｚ方向およびｙ方向において、第１の外周面１７５によって第２の部分１４０の第２の外周面の上に突出する。加えて、第１のヘッド部１５０は、第１の端面１１０とは反対に面する側で、第２のコンタクトレセプタクル１２５の内面１７０に接することができる。したがって第１のヘッド部１５０は、第２のコンタクトハウジング４０、特に側壁１３６を越えて係合し、したがって第１のコンタクトハウジング３０は、第２のコンタクトハウジング４０に形状嵌めで接続される。後部側では、第３のハウジング部１２０は、端面で第１の端面１１０に接することができ、または第１のシャフト部１４５は、中実端１５５で広がることができ、したがって第１のレセプタクル１３０は、広くなった部分１７６で止まり、第１の端面１１０と第３のハウジング部１２０の第２の端面２５５との間に間隙１７７が設けられる。その結果、第１のかしめ手段１４１によって、第２のコンタクトハウジング４０における第１のコンタクトハウジング３０の特に確実な保持が確保される。
【００４１】
図４は、第１のコンタクトデバイス１５を下から見た第１のコンタクトデバイス１５の斜視図を示す。
【００４２】
図４で、第１のコンタクトデバイス１５は、取付け前の状態にあり、したがって第１のかしめ手段１４１の第１のヘッド部１５０はまだ成形されていない。
【００４３】
第１のシャフト部１４５は、第１の領域１９０および第２の領域１９５を有する。第１の領域１９０は、ｘ方向に第２の領域１９５より長く構成される。さらに、ｙ方向およびｚ方向において、第２の領域１９５は、第１の領域１９０より細く構成される。
【００４４】
第１の領域１９０は、第１の中実端１５５と境界を接し、第１のハウジング部１００の第１の端面１１０に隣接する。第２の領域１９５は、第１のシャフト部１４５のうち第１の端面１１０とは反対に面する側で、第１のシャフト部１４５に隣接する。第１の領域１９０は、断面において実質的に正方形の基本形状（たとえば、丸い隅部領域を有する）を有するのに対して、他方では、第２の領域１９５は、断面において実質的に円形の基本形状を有する。
【００４５】
ｚ方向における案内のために、第１のシャフト部１４５は、第２の外周面１８０上に第１の案内面２００を有する。第１の案内面２００は、平面状に構成されており、第１の領域１９０および第２の領域１９５の両方の上に延びる。この場合、第２の領域１９５で、第１の案内面２００は、第２の領域１９５の基本形状に対して割線状の構成を形成する。この実施形態では、第１の案内面２００は、ｘｙ平面として構成される。第１の案内面２００は、コンタクト軸６５に平行に位置合わせされる。
【００４６】
反対のｚ方向において、第１のシャフト部１４５は、第２の外周面１８０に、第２の案内面２０５（第１のシャフト部１４５のうち図４の観察者とは反対に面する側に配置される）をさらに有する。第１の案内面２００および第２の案内面２０５はそれぞれ、平面状に構成され、ｘｙ平面内に配置され、互いに平行に配置される。第１の案内面２００および第２の案内面２０５は、第１のハウジング部１００の下面２１０に平行にさらに位置合わせされる。ピン３５は、第１のハウジング部１００の下面２１０に配置される。
【００４７】
ｙ方向における第１のシャフト部１４５の追加の案内を確保するために、第３の案内面２９０と、第３の案内面２９０の反対側に配置された第４の案内面２９５とを、第１のシャフト部１４５にさらに設けることができる。第３の案内面２９０および第４の案内面２９５は、第１の案内面２００および第２の案内面２０５に対して直角に配置され、ｙ方向に隔置されて実質的にｘｚ平面内に延びる。
【００４８】
円周では、第１の領域１９０は、第１の掛止レセプタクル２１５および第２の掛止レセプタクル２２０をさらに有し、第１の掛止レセプタクル２１５および第２の掛止レセプタクル２２０は、いずれの場合も、第１の案内面２００および第２の案内面２０５と横方向に境界を接する。第１の掛止レセプタクル２１５および第２の掛止レセプタクル２２０は、ｙ方向において互いに反対側に配置される。掛止レセプタクル２１５、２２０は、例示的な台形の構成を有する。ここでは、第１の掛止レセプタクル２１５および第２の掛止レセプタクル２２０は、外側から内側へ先細りしている。第１の掛止レセプタクル２１５および第２の掛止レセプタクル２２０は、第１の端面１１０とは反対に面する側に止め面２２５を有し、止め面２２５は、第１の端面１１０に平行に位置合わせされる。止め面２２５は、ｙｚ平面内を延びる。
【００４９】
第３の案内面２９０は、第１の掛止レセプタクル２１５によって遮られており、したがっていずれの場合も、第３の案内面２９０の小領域が、ｘ方向において第１の掛止レセプタクル２１５の両側に設けられる。同様に、第４の案内面２９５は、第２の掛止レセプタクル２２０によって遮られており、第２の掛止レセプタクル２２０は、いずれの場合も第４の案内面２９５の小領域が、ｘ方向において第４の案内面２９５の両側に設けられるように、第４の案内面２９５内に配置される。
【００５０】
第１の領域１９０と第２の領域１９５との間の接合部に、第１のシャフト部１４５は、端面に肩面２３０を有し、肩面２３０は、第１の端面１１０に平行に位置合わせされる。第２の領域１９５は、肩面２３０で第１の領域１９０に接続される。
【００５１】
さらに、第２の領域１９５は、例として、第１の凹部２３５と、ｚ方向において第１の凹部２３５の反対側に配置された例示的な第２の凹部２４０とを有する。第１の凹部２３５および第２の凹部２４０は、同一に構成され、第１の端面１１０に面する側に開いている。第１の凹部２３５は、第１の案内面２００と境界を接し、第２の凹部２４０は、第２の案内面２０５と境界を接する。この場合、第１の凹部２３５は、ｙ方向において、第１の案内面２００の最大範囲に対して中心に配置される。同様に、第２の凹部２４０は、ｙ方向において、第２の案内面２０５の最大範囲に対して中心位置に配置される。この場合、第１の凹部２３５および第２の凹部２４０は溝状に構成される。また、第１の凹部２３５および第２の凹部２４０を省くこともでき、または第１の凹部２３５および第２の凹部２４０を別の形で構成することもできる。
【００５２】
図５は、図１に示す断面Ｂ−Ｂに沿って第２のコンタクトデバイス２０の第２のコンタクトハウジング４０を通って切り取った断面図を示す。
【００５３】
第１のレセプタクル１３０は、例として、第２のハウジング部１１５内に配置される第１の部分１３５および第２の部分１４０に加えて、第３の部分２４５を有する。第３の部分２４５は、第３のハウジング部１２０内に配置される。第３の部分２４５は、第１の部分１３５のうち第１の端面１１０に面する側で、第１の部分１３５に隣接する。第３の部分２４５は、第１の部分１３５より大きい断面を有する。
【００５４】
第３の部分２４５は、第１のコンタクトハウジング３０に面する側で、開口２５０から第１の部分１３５の方へ先細りするように構成することができる。図５に示すように、第３の部分２４５もまた、一定の断面を有することができる。
【００５５】
開口２５０で、第１のレセプタクル１３０は、第１の端面１１０に面している第２の端面２５５上へ開いている。第１のコンタクトハウジング３０上に第２のコンタクトハウジング４０を取り付けた状態で、第１の端面１１０および第２の端面２５５は、互いから隔置されて平行に延びるように配置される。
【００５６】
第２のコンタクトハウジング４０は、掛止手段２６０をさらに有する。この実施形態では、例として、掛止手段２６０は、第１の戻り止めばね２６５と、任意選択で少なくとも１つの第２の戻り止めばね２７０とを有する。第１の戻り止めばね２６５および第２の戻り止めばね２７０は、第３のハウジング部１２０の内側で、ｙ方向において互いに反対側に配置される。この場合、戻り止めばね２６５、２７０は、いずれの場合も、第２の固定端２７５によって第３のハウジング部１２０に接続される。第２のコンタクトハウジング４０が取り付けられていない状態で、戻り止めばね２６５、２７０は、第１のレセプタクル１３０の方向に内方へ旋回し、応力を受けない。この場合、戻り止めばね２６５、２７０の第２の自由端２８０は、第３の部分２４５内へ突出する。戻り止めばね２６５、２７０は、第２の自由端２８０に掛止面２８５を有する。掛止面２８５は、戻り止めばね２６５、２７０のうち第２のハウジング部１１５に面する側に配置される。
【００５７】
円周で、第３のハウジング部１２０は、第２のハウジング部１１５より細く構成される。第３のハウジング部１２０は、外側に段差部２９１を有する。
【００５８】
保持ツールが、段差部２９１内に係合することができる。
【００５９】
図６は、図１に示す断面Ｂ−Ｂに沿って組立て前の状態のコンタクトシステム１０を通って切り取った断面図を示す。
【００６０】
第１のコンタクトデバイス１５を取り付ける前の状態で、第１のコンタクトデバイス１５は、第２のコンタクトデバイス２０内へ押し込まれる。この場合、第１の戻り止めばね２６５は、第１の掛止レセプタクル２１５内に係合し、第２の戻り止めばね２７０は、第２の掛止レセプタクル２２０内に係合する。この場合、第２の自由端２８０で、それぞれの戻り止めばね２６５、２７０の掛止面２８５は、止め面２２５に接しており、第１のコンタクトハウジング３０を第２のコンタクトハウジング４０に形状嵌めで接続する。さらに、第１の端面１１０は、第２の端面２５５で止まり、または開口２５０が丸い部分１７６に静止することによって、第１のエンコーディングユニット９５が第１のレセプタクル１３０内へさらに押し込まれることが防止される。その結果、長手方向における第１のコンタクトハウジング３０に対する第２のコンタクトハウジング４０の位置が設定される。さらに、掛止手段２６０により、第１のシャフト部１４５が傾斜することなく第１のレセプタクル１３０内へ完全に差し込まれて、完全に第１のレセプタクル１３０を通って係合することが確実になる。さらに、掛止手段２６０は、コンタクトシステム１０の組立て前の状態で、したがって第１のヘッド部１５０がまだ成形されていないときに、第１のコンタクトハウジング３０上で第２のコンタクトハウジング４０を固定する。掛止面２８５が止め面２２５に当接することによって、第１のコンタクトハウジング３０が固定されて第２のコンタクトハウジング４０から望ましくなく引き出されることが防止される。
【００６１】
図７は、図１に示す断面Ｃ−Ｃに沿ってコンタクトシステム１０を通って切り取った断面図を示す。
【００６２】
第３の部分２４５は、内側に、第１の内面部２９６、第２の内面部２９７、第３の内面部３００、および第４の内面部３０５を有する。第１の内面部２９６は、下面２１０に面する側に配置され、下面２１０に平行に位置合わせされる。第２の内面部２９７は、外側でｚ方向に反対側に配置される。第３の内面部３００および第４の内面部３０５は、横方向に配置される。第３の内面部３００は、第４の内面部３０５の反対側に配置される。第３の内面部３００および第４の内面部はそれぞれ、ｚ軸に平行に延び、第１の内面部２９６を第２の内面部２９７に接続する。
【００６３】
内面部２９６、２９７、３００、３０５間に、さらなる丸い部分を設けることができる。内面部２９６、２９７、３００、３０５はそれぞれ、関連する案内面２００、２０５、２９０、２９５に対応するように構成および位置合わせされる。組立て前の状態ならびに最終組立て状態で、第１の案内面２００は第１の内面部２９６に接し、第２の案内面２０５は第２の内面部２９７に接し、第３の案内面２９０は第３の内面部３００に接し、第４の案内面２９５は第４の内面部３０５に接する。
【００６４】
内面部２９６、２９７、３００、３０５に対する案内面２００、２０５、２９０、２９５のそれぞれの対応する配置によって、第１のコンタクトハウジング３０が第２のコンタクトハウジング４０内へ導入されたとき、第１のシャフト部１４５は、第３の部分２４５内で第１のレセプタクル１３０の中心に位置し、空間内で第２のコンタクトデバイス２０に対する第１のコンタクトハウジング３０および第１の同軸コンタクトユニット４５の位置決めおよび位置合わせが設定される。さらに、第２のコンタクトハウジング４０に対する第１のコンタクトハウジング３０の不適切な位置合わせ（たとえば、第１のコンタクトハウジング３０が第２のコンタクトハウジング４０に対してｘ軸の周りでねじれて位置合わせされたとき）が、第１のレセプタクル３０に対する第１のエンコーディングユニット９５の係合によって防止される。さらに、第１のエンコーディングユニット９５は、第１のレセプタクル１３０との円周方向の形状嵌め接続によって、第２のコンタクトハウジング４０以外のものが第１のコンタクトハウジング３０上へ差し込まれることを防止する。
【００６５】
図８は、図１に示す断面Ｄ−Ｄに沿って図１に示すコンタクトシステム１０を通って切り取った断面図を示す。
【００６６】
第１の案内面２００および第２の案内面２０５は、長手方向（ｘ方向）において、第１のシャフト部１４５の長手方向最大範囲全体の上に延び、したがって第１の案内面２００および第２の案内面２０５は、第１のシャフト部１４５の第２の領域１９５の上面および下面にも同様に配置される。しかし、第２の領域１９５は、第３の案内面２９０および第４の案内面２９５を有していない。第２の領域１９５は、第１の案内面２００と第２の案内面２０５との間に第２の外周面１８０の円形の構成を有する。
【００６７】
同様に、第１の内面部２９６および第２の内面部２９７は、第１のレセプタクル１３０の第１の部分１３５内へさらに長くなり、第１の内面部２９６と第２の内面部２９７との間では、第１の部分１３５内の第１のレセプタクル１３０が、第２の領域１９５の構成に対応して丸く構成される。
【００６８】
図９は、図１〜図８に示すコンタクトシステム１０を形成する方法の流れ図を示す。図１０は、図１に示す断面Ａ−Ａに沿って第３の方法ステップ４１０中のコンタクトシステム１０を通って切り取った断面の切断図である。図１１は、第４の方法ステップ４１５中の図１０に示す断面Ａ−Ａの切断図である。
【００６９】
第１の方法ステップ４００で、第１のコンタクトデバイス１５および第２のコンタクトデバイス２０は、別個の形成方法で別個に形成され、第１の方法ステップ４００の終了時に提供される。この場合、たとえば第１のコンタクトハウジング３０は、射出成形方法によって形成することができる。
【００７０】
第２の方法ステップ４０５で、第１のシャフト部１４５は、第１のレセプタクル１３０内へ挿入される。この場合、案内面２００、２０５、２９０、２９５は、内面部２９６、２９７、３００、３０５に接することによって、第２のコンタクトハウジング４０内に第１のコンタクトハウジング３０を向きおよび／または案内および／または位置決めする。さらに、その結果、第１の同軸コンタクトユニット４５は、第２の同軸コンタクトユニット５０に対して明確に位置合わせされ、したがって第１の同軸コンタクトユニット４５および第２の同軸コンタクトユニット５０を押し潰すことなく互いに押し込むことができ、したがって第１の同軸コンタクトユニット４５と第２の同軸コンタクトユニット５０との間に確実な電気接触を確保することができる。
【００７１】
第１のシャフト部１４５が第１のレセプタクル１３０内へ挿入されたとき、第１のシャフト部１４５の第１の領域１９０は、戻り止めばね２６５、２７０を弾性的に外方へ押圧し、これらをロック解除位置まで旋回させ、したがって第１のシャフト部１４５を第１のレセプタクル１３０内へ最終位置に入るまで押し込むことができる。この場合、戻り止めばね２６５、２７０は応力を受ける。
【００７２】
第１のレセプタクル１３０内の第１のエンコーディングユニット９５の最終位置に到達した場合、戻り止めばね２６５、２７０はロック解除位置からロック位置内へ跳ね返り、ロック位置で、第１の戻り止めばね２６５は第１の掛止レセプタクル２１５内に係合し、第２の戻り止めばね２７０は第２の掛止レセプタクル２２０内に係合し、したがって第１のコンタクトハウジング３０は、第２のコンタクトハウジング４０に形状嵌めで接続される。
【００７３】
第３の方法ステップ４１０（図１０参照）で、第１のエンコーディングユニット９５をかしめるためのかしめ具３１０が、第１のコンタクトハウジング３０とは反対に面する側から、第２のコンタクトハウジング４０の第２のコンタクトレセプタクル１２５内へ挿入される。かしめ具３１０は、内側に、第１の同軸コンタクトユニット４５を受け取るための第３のコンタクトレセプタクル３１５を有する。第１のシャフト部１４５に面する側の端面で、かしめ具３１０は、明確な打抜き輪郭３２０を有する。事前定義された打抜き輪郭３２０は、第１のヘッド部１５０の幾何形状を成形するように構成される。打抜き輪郭３２０は、平面状に構成された第３の端面３２５を有し、第３の端面３２５には、丸い部分３３０が径方向外方に隣接する。第３の端面３２５は、かしめ手段３１０に面している第１のシャフト部の第４の端面３３５上へ配置される。
【００７４】
第４の方法ステップ４１５（図１１参照）で、コンタクトハウジング３０、４０をかしめるためのかしめ力ＦＮが、かしめ具３１０に加えられ、その力は、第４の端面３３５に逆らって作用する。後部側では、コンタクトシステム１０は、かしめ力ＦＮに反対に作用する反力ＦＧを提供するように、第１のハウジング部１００で支持される。かしめ力ＦＮおよび反力ＦＧによって、打抜き輪郭３２０は、第１のシャフト部１４５の第４の端面３３５へ押圧される。この場合、かしめ力ＦＮは、第１のシャフト部１４５の物質が第２の部分１４０内へ外方に流れるほど大きく、第１のヘッド部１５０は、第１のシャフト部１４５の端領域から成形される。この場合、打抜き輪郭３２５は、第１のヘッド部１５０の幾何学的構成および第２のコンタクトハウジング４０内の第１のヘッド部１５０の後部係合を画定する。
【００７５】
第５の方法ステップ４２０で、かしめ具３１０は除去される。
【００７６】
第６の方法ステップ４２５で、第２の同軸コンタクトユニット５０は、第２のコンタクトレセプタクル１２５内へ導入され、第１の同軸コンタクトユニット４５への電気接触が形成される。
【００７７】
図１２は、第２の実施形態によるコンタクトシステム１０の斜視図を示す。
【００７８】
コンタクトシステム１０は、図１に示すコンタクトシステム１０と実質的に同一に構成される。以下、図１〜図１１に示すコンタクトシステム１０と比較した図１２に示すコンタクトシステム１０の違いについてのみ論じる。
【００７９】
第１のコンタクトデバイス１５は、第１の同軸コンタクトユニット４５に加えて、第３の同軸コンタクトユニット５００を有する。第３の同軸コンタクトユニット５００は、第１の同軸コンタクトユニット４５と実質的に同一に構成される。ｙ方向において、第３の同軸コンタクトユニット５００は、第１の同軸コンタクトユニット４５との共通のｘｙ平面内で、第１の同軸コンタクトユニット４５に対して横方向にずれて配置される。第３の同軸コンタクトユニット５００は、第２のコンタクトデバイス２０に第１のコンタクトデバイス１５が取り付けられた状態で、第２のコンタクトデバイス２０の第４の同軸コンタクトユニット５０５への電気接触を形成するように構成される。第４の同軸コンタクトユニット５０５は、図１２に破線で示されており、第２の同軸コンタクトユニット５０と同一に構成され、ならびにｙ方向において第２のコンタクトハウジング４０内の第２の同軸コンタクトユニット５０に対して横方向にずれて構成される。
【００８０】
第１のコンタクトハウジング３０は、第１のエンコーディングユニット９５に加えて、第２のエンコーディングユニット５１０を有する。第１のエンコーディングユニット９５および第２のエンコーディングユニット５１０は、図１〜図１１に説明した第１のエンコーディングユニット９５と実質的に同じ構成を有する。前述の図とは対照的に、図１２では、第１のエンコーディングユニット９５は、コンタクト軸６５の周りで実質的に回転対称に構成されていない。
【００８１】
この実施形態では、ここで第１の案内面２００および第２の案内面２０５は、図１〜図１０に示すように平面状に構成される。第３の案内面２９０および第４の案内面２９５は、湾曲して、好ましくは弓形に構成される。この場合、第３の案内面２９０は、第１の回転軸５１５の周りの円形の経路上を延び、第１の回転軸５１５は、第３の同軸コンタクトユニット５００とは反対に面する側で、第１の同軸コンタクトユニット４５のコンタクト軸６５に対してｙ方向にずれて配置される。
【００８２】
第１のレセプタクル１３０は、第１のシャフト部１４５に対応するように構成され、したがって第１のレセプタクル１３０は同様に横方向に、弓形の第３の内面部３００および第４の内面部３０５と、平面状に構成された第１の内面部２９６および第２の内面部２９７とを有する。
【００８３】
この実施形態では、第３の案内面２９０は、第３の同軸コンタクトユニット５００とは反対に面する側で、外方にずれて配置される。第４の案内面２９５は、コンタクト軸６５の周りの円形の経路上を弓形に延びるように配置される。第１のヘッド部１５０は、第３の案内面２９０に隣接して設けられる。上面および下面では、第１の案内面２００および第２の案内面２０５が第１のヘッド部１５０と境界を接している。第１の凹部２３５も同様に、第１の回転軸５１５の周りに弓形に延びるように配置される。第１の凹部２３５は、第１の外側コンタクト５５と第１のヘッド部１５０との間に径方向に配置される。さらに、図１〜図１１に説明した第２の凹部２４０は省かれている。
【００８４】
第２のエンコーディングユニット５１０は、第１の同軸コンタクトユニット４５のコンタクト軸６５と第３の同軸コンタクトユニット５００のさらなるコンタクト軸５２５との間の中間に配置された対称平面５２０に対して、第１のエンコーディングユニット９５に鏡像対称に構成される。さらなるコンタクト軸５２５は、ｘ軸に平行に第３のコンタクトデバイス５００の第３の内側コンタクト５２６の中央に延びる。この実施形態では、対称平面５２０は、例としてｘｚ平面内に延びる。
【００８５】
第２のエンコーディングユニット５１０は、第２のかしめ手段５１１を有する。第２のかしめ手段５１１は、第２のシャフト部５３０に加えて、第２のヘッド部５３５および第３の凹部５４０を有する。第２のシャフト部５３０は、第２のコンタクトハウジング４０の第２のレセプタクル５４５を通って係合する。第２のレセプタクル５４５は同様に、対称平面５２０に対して第１のレセプタクル１３０に鏡像対称に配置される。
【００８６】
第２のシャフト部５３０は、中空体として構成され、第３の同軸コンタクトユニット５００は、第２のシャフト部５３０の内側に配置される。第２のシャフト部５３０および第３の同軸コンタクトユニット５００の第３の外側コンタクト５５５は、一体化された物質的に均一の形で構成することができる。さらに、さらなるかしめを形成するために、第２のシャフト部５３０および第２のヘッド部５３５は、一体化された物質的に均一の形で構成される。第２のシャフト部５３０は、さらなる中実端（図１２では第２のコンタクトハウジング４０によって隠れている）によって、第１のコンタクトハウジング３０の第１の端面１１０に接続され、第１のコンタクトハウジング３０の第１の端面１１０の上に突出する。第２のシャフト部５３０のさらなる自由端（ｘ方向）では、第２のシャフト部５３０に第２のヘッド部５３５が配置される。
【００８７】
第２のヘッド部５３５は、内側で、第１の同軸コンタクトユニット４５とは反対に面する側に配置される。第２のヘッド部５３５は、内側で、第２のコンタクトハウジング４０を越えて係合する。この場合、第２のヘッド部５３５は、第２の回転軸５５０の周りのさらなる円形の経路上に延びる。第２の回転軸５５０、さらなるコンタクト軸５２５、コンタクト軸６５、および第１の回転軸５１５は、共通のｘｙ平面内にともに配置され、互いに平行かつｘ軸に平行に延びる。第２の回転軸５５０は、第１の同軸コンタクトユニット４５とは反対に面する側で、さらなるコンタクト軸５２５に対してずれて配置される。さらなるコンタクト軸５２５は、第３の同軸コンタクトユニット５００の第３の内側コンタクト５６０に沿って中央に延びる。
【００８８】
第３の凹部５４０も同様に、第２の回転軸５５０の周りに円形に延びる。いずれの場合も、第１の同軸コンタクトユニット４５および第３の同軸コンタクトユニット５００の相互に反対側に位置する第１のヘッド部１５０および第２のヘッド部５３５の配置によって、２つのヘッド部１５０、５３５間の間隔を最大にすることができ、したがってヘッド部１５０、５３５は特に、ｚ軸の周りのトルクを特にうまく支持することができる。さらに、第１の同軸コンタクトユニット４５および第３の同軸コンタクトユニット５００は、特にｙ方向において、互いに近接して固定することができる。さらに、この実施形態では、第１の案内面２００および第２の案内面２０５は、第１の同軸コンタクトユニット４５の第１の外側コンタクト６０の外周面および第３の同軸コンタクトユニット５００の外周面に対して接線方向に配置されるため、垂直方向（ｚ方向）に追加の設置空間を必要としない。
【００８９】
別法として、第１のヘッド部１５０および／または第２のヘッド部５３５が、ｙ方向に第１の同軸コンタクトユニット４５と第３の同軸コンタクトユニット５００との間に配置されることも考えられるはずである。２つのエンコーディングユニット９５、５１０のうちの１つを省くことも考えられるはずである。図１に示す第１のエンコーディングユニット９５はまた、第１の同軸コンタクトユニット４５および／または第３の同軸コンタクトユニット５００に設けることもできる。
【００９０】
さらに、コンタクトシステム１０の異なる構成も考えられることに留意されたい。特に、いくつかのの同軸コンタクトユニット４５、５０、５００、５０５および／またはエンコーディングユニット９５、５１０の両方が考えられる。エンコーディングユニット９５、５１０の数はまた、第１の同軸コンタクトユニット４５および第３の同軸コンタクトユニット５００の数より小さくても大きくてもよい。
【００９１】
図１２に示すコンタクトシステム１０の実施形態は、図９に説明した方法によって形成することができる。この場合、かしめ具３１０は、ヘッド部１５０、５３５を順次成形することができ、または好ましい実施形態では、かしめ具３１０の対応する幾何学的構成の場合、ヘッド部１５０、５３５を同時に成形することができ、したがってかしめ中のコンタクトハウジング３０、４０の傾斜を回避することができる。
【符号の説明】
【００９２】
１０  コンタクトシステム
１５  第１のコンタクトデバイス
２０  第２のコンタクトデバイス
２５  プリント回路基板
３０  第１のコンタクトハウジング
３５  ピン
４０  第２のコンタクトハウジング
４５  第１の同軸コンタクトユニット
５０  第２の同軸コンタクトユニット
５５  第１の外側コンタクト
５６  絶縁要素
６０  第１の内側コンタクト
６５  コンタクト軸
７０  第２の外側コンタクト
７５  第２の内側コンタクト
８０  角状部
８５  第１のコンタクト部
９０  第２のコンタクト部
９５  第１のエンコーディングユニット
１００  第１のハウジング部
１０５  第１のコンタクトレセプタクル
１１０  第１の端面
１１５  第２のハウジング部
１２０  第３のハウジング部
１２５  第２のコンタクトレセプタクル
１３０  第１のレセプタクル
１３５  第１の部分
１３６  側壁
１４０  第２の部分
１４１  第１のかしめ手段
１４５  第１のシャフト部
１５０  第１のヘッド部
１５５  第１の中実端
１６０  第１の自由端
１７０  内面
１７５  第１の外周面（第１のヘッド部の）
１７６  丸い部分
１８０  第２の外周面（第１のシャフト部の）
１９０  第１の領域（第１のシャフト部の）
１９５  第２の領域（第１のシャフト部の）
２００  第１の案内面
２０５  第２の案内面
２１０  下面
２１５  第１の掛止レセプタクル
２２０  第２の掛止レセプタクル
２２５  止め面
２３０  肩面
２３５  第１の凹部
２４０  第２の凹部
２４５  第３の部分（第１のレセプタクルの）
２５０  開口
２５５  第２の端面
２６０  掛止手段
２６５  第１の戻り止めばね
２７０  第２の戻り止めばね
２７５  第２の固定端
２８０  第２の自由端
２８５  掛止面
２９０  第３の案内面
２９１  段差部
２９５  第４の案内面
２９６  第１の内面部
２９７  第２の内面部
３００  第３の内面部
３０５  第４の内面部
３１０  かしめ具
３１５  第３のコンタクトレセプタクル
３２０  打抜き輪郭
３２５  第３の端面
３３０  丸い部分
３３５  第４の端面
４００  第１の方法ステップ
４０５  第２の方法ステップ
４１０  第３の方法ステップ
４２０  第４の方法ステップ
４２５  第６の方法ステップ
５００  第３の同軸コンタクトユニット
５０５  第４の同軸コンタクトユニット
５１０  第２のエンコーディングユニット
５１１  第２のかしめ手段
５１５  第１の回転軸
５２０  対称平面
５２５  さらなるコンタクト軸
５２６  第３の内側コンタクト
５３０  第２のシャフト部
５３５  第２のヘッド部
５４０  第３の凹部
５４５  第２のレセプタクル
５５０  第２の回転軸
５５５  第３の外側コンタクト
【図１】
2021518630.tif 000003
【図２】
2021518630.tif 000004
【図３】
2021518630.tif 000005
【図４】
2021518630.tif 000006
【図５】
2021518630.tif 000007
【図６】
2021518630.tif 000008
【図７】
2021518630.tif 000009
【図８】
2021518630.tif 000010
【図９】
2021518630.tif 000011
【図１０−１１】
2021518630.tif 000012
【図１２】
2021518630.tif 000013
【国際調査報告】
2021518630.tif 000014
2021518630.tif 000015
2021518630.tif 000016